(57)【要約】      （修正有）【課題】特に交換性及び利便性を有する可変式穴開け装置を提供する。【解決手段】先端と末端とを有するシャンク１１と、該シャンク１１の先端に設けられる取付部１２と、該シャンク１１の末端に設けられる駆動部１５とを備える駆動シャフト１０と、底部に形成されると共に、前記駆動シャフト１０の取付部１２と着脱可能に結合される取付穴３１０を備える工具部材３０と、前記駆動シャフト１０の駆動部１５に着脱可能に取り付けられる伝動部材４０と、を有することを特徴とする。【選択図】図１
0003182895.tif 000002
【実用新案登録請求の範囲】
【請求項１】
先端と末端とを有するシャンクと、該シャンクの先端に設けられる取付部と、該シャンクの末端に設けられる駆動部とを備える駆動シャフトと、
底部に形成されると共に、前記駆動シャフトの取付部と着脱可能に結合される取付穴を備える工具部材と、
前記駆動シャフトの駆動部に着脱可能に取り付けられる伝動部材と、を有することを特徴とする可変式穴開け装置。
【請求項２】
前記工具部材は、前記取付穴により駆動シャフトの取付部に螺合されるスリーブと、該スリーブの外周面に設けられる調整ロッドとを具備する調整可能なカッター部材からなることを特徴とする請求項１に記載の可変式穴開け装置。
【請求項３】
前記可変式穴開け装置は、さらに、ドリルと、止めネジとを備えるセンタードリル部材を有し、
前記スリーブは、さらに、前記ドリルを位置決めするドリル穴と、該ドリル穴とスリーブの外周面とを連通させると共に、該ドリルを固定するために、前記止めネジを挿入する固定穴とを有することを特徴とする請求項２に記載の可変式穴開け装置。
【請求項４】
前記工具部材は夫々、前記調整ロッドの両側に取り付けられる２つのカッターを有することを特徴とする請求項３に記載の可変式穴開け装置。
【請求項５】
前記駆動シャフトは、さらに、前記シャンクの末端近傍に形成される螺設部を有し、
前記可変式穴開け装置は、さらに、前記駆動シャフトに環装されるカバーと、該駆動シャフトに環装されると共に、一端が前記カバーの底部に結合されるスプリングと、前記シャンクの螺設部に螺合されると共に、該スプリングに当接するナットとを備える防塵部材を有することを特徴とする請求項４に記載の可変式穴開け装置。
【請求項６】
前記可変式穴開け装置は、さらに、ホールソー刃部材を有し、
前記スリーブは、さらに、前記ドリル穴の周縁に形成されると共に、前記ホールソー刃部材を位置決めする嵌合部を有し、
前記センタードリル部材は、さらに、前記ホールソー刃部材を固定するワッシャーを有することを特徴とする請求項４に記載の可変式穴開け装置。
【請求項７】
前記可変式穴開け装置は、さらに、前記駆動シャフトに環装されると共に、前記カッター部材の底部に嵌合される位置決めディスクと、該駆動シャフトの取付部に螺合されると共に、該位置決めディスクを固定する固定ディスクとを有し、
前記工具部材は、前記調整ロッドの一側に取り付けられる１つのカッターを有することを特徴とする請求項３に記載の可変式穴開け装置。
【請求項８】
前記伝動部材は、外周面に等間隔で形成されると共に、それぞれ３つの挟持用爪に適合する３つの挟持平面を有することを特徴とする請求項１ないし請求項７の何れか一項に記載の可変式穴開け装置。
【請求項９】
前記工具部材は、ホールソー刃部材からなることを特徴とする請求項１に記載の可変式穴開け装置。
【請求項１０】
前記駆動シャフトの取付部は、段差を形成する、大径ネジ山部および小径ネジ山部を有することを特徴とする請求項９に記載の可変式穴開け装置。
【請求項１１】
前記可変式穴開け装置は、さらに、ドリルと、止めネジとを備えるセンタードリル部材を有し、
前記駆動シャフトは、さらに、前記取付部の先端に形成されると共に、前記ドリルを位置決めするドリル穴と、該ドリル穴と前記シャンクの外周面における取付部の近傍に位置する箇所とを連通すると共に、該ドリルを固定するために、前記止めネジを挿入する固定穴とを有することを特徴とする請求項１０に記載の可変式穴開け装置。
【請求項１２】
前記伝動部材は、角棒状を呈すると共に、外周面における末端近傍に嵌合溝が凹設されることを特徴とする請求項１１に記載の可変式穴開け装置。
【請求項１３】
前記可変式穴開け装置は、さらに、前記駆動シャフトの取付部に螺合されると共に、前記工具部材の外側に当接する当接リングと、該駆動シャフトの取付部に螺合されると共に、該工具部材の内側に当接する固定スクリューとを有することを特徴とする請求項１１に記載の可変式穴開け装置。
【請求項１４】
前記伝動部材は、直接固定式駆動機器に適合する形状を呈し、外周面に等間隔に形成される２つの閉止溝と、外周面に等間隔に形成される２つの開放溝とを有することを特徴とする請求項１３に記載の可変式穴開け装置。
【請求項１５】
前記駆動シャフトは、さらに、前記取付部の末端近傍に形成される環装部と、該環装部の末端近傍に形成される螺合部とを有し、
前記可変式穴開け装置は、さらに、摺動可能に前記環装部に設けられると共に、前記工具部材の外側に当接される当接リングと、前記駆動シャフトの螺合部の末端に固設される固設部材と、該駆動シャフトの螺合部に螺合される当接ナットと、該当接ナットと当接リングとの間に設けられる弾性リングとを有することを特徴とする請求項１１に記載の可変式穴開け装置。
【請求項１６】
前記可変式穴開け装置は、さらに、前記駆動シャフトと工具部材との間に設けられると共に、先端から末端へ順次に当接リング、弾性リング、当接ナット、及び固設部材が設けられる連結軸を有することを特徴とする請求項１０に記載の可変式穴開け装置。
【請求項１７】
前記可変式穴開け装置は、さらに、前記連結軸に取り付けられるセンタードリル部材を有することを特徴とする請求項１６に記載の可変式穴開け装置。
【請求項１８】
前記伝動部材は、該駆動シャフトの駆動部に螺合されるために、外周面に外ネジ山が形成される結合部を有し、
前記伝動部材の結合部は、中空状を呈し、内部に螺合穴が設けられ、
前記螺合穴の内周面に、前記結合部の外周面の外ネジ山と反対方向の内ネジ山が形成され、
前記駆動シャフトは、筒状を呈し、前記螺合穴の内周面の内ネジ山に対応する結締部材と、前記結締部材を位置決めするために前記駆動シャフトの内周面における末端近傍に設けられる環状制限部材と、内周面における前記環状制限部材と末端との間に設けられる、前記結合部を螺入させるための内ネジ山と、を有することを特徴とする請求項３に記載の可変式穴開け装置。
【請求項１９】
前記工具部材は、さらに、前記固定穴と直交する緊締溝を有することを特徴とする請求項１８に記載の可変式穴開け装置。
【請求項２０】
前記駆動シャフトの結締部材は、キャップボルトであることを特徴とする請求項１８に記載の可変式穴開け装置。
【考案の詳細な説明】
【技術分野】
【０００１】
本考案は、特に可変式穴開け装置に関するものである。
【背景技術】
【０００２】
例えば、特許文献１に記載された従来の可変式ホールソー用シャンクには、設置穴及びホールソーカッター保持部が設けられ、該設置穴に穴開けカッター部材を取り付けると共に、前記ホールソー刃保持部にホールソー刃部材を取り付けられることから、振動ドリルまたは電気ドリルなどの駆動機器により、穴開けカッター部材と、ホールソー刃部材との二種類の穴開け工具の効果を同時に発揮することができる。
【先行技術文献】
【特許文献】
【０００３】
【特許文献１】台湾実用新案登録Ｍ４０６５１０号
【考案の概要】
【考案が解決しようとする課題】
【０００４】
しかしながら、従来の可変式ホールソーは、以下の欠点を有するものであった。
【０００５】
１、前記従来の可変式ホールソー用シャンクは一体であり、また、前記穴開けカッター部材は、該シャンクの設置穴に取り付けるための多数のパーツを有するので、該穴開けカッター部材の着脱作業が非常に不便であった。
【０００６】
２、前記従来の可変式ホールソー用シャンクは、一種類の駆動機器にしか取り付けることができなく、異なる種類の駆動機器を使用する時には、適合するシャンクと交換しなくてはならないので、運用上は非常に不便であった。
【０００７】
３、前記穴開けカッター部材またはホールソー刃部材で穴開け作業を行う時にはよく詰まりが発生することから、詰まり防止装置を前記従来の可変式ホールソー用シャンクに設けることがあるが、その作業は非常に面倒であり、また、例え詰まり防止装置を設けたとしても、優れた詰まり防止効果を発揮することはできない。
【０００８】
そこで、案出されたのが本考案であって、穴開け工具の交換がし難く、、詰まり防止装置の使用利便性がよくないとの欠点を改善すべく、構成を簡素化させるとともに、穴開け工具の交換のし易さ及び利便性を向上させる可変式穴開け装置を提供することを目的としている。
【課題を解決するための手段】
【０００９】
本願の請求項１の考案は、先端と末端とを有するシャンクと、該シャンクの先端に設けられる取付部と、該シャンクの末端に設けられる駆動部とを備える駆動シャフトと、
底部に形成されると共に、前記駆動シャフトの取付部と着脱可能に結合される取付穴を備える工具部材と、
前記駆動シャフトの駆動部に着脱可能に取り付けられる伝動部材と、を有することを特徴とする可変式穴開け装置、を提供する。
【００１０】
本願の請求項２の考案は、前記工具部材は、前記取付穴により駆動シャフトの取付部に螺合されるスリーブと、該スリーブの外周面に設けられる調整ロッドとを具備する調整可能なカッター部材からなることを特徴とする請求項１に記載の可変式穴開け装置、を提供する。
【００１１】
本願の請求項３の考案は、前記可変式穴開け装置は、さらに、ドリルと、止めネジとを備えるセンタードリル部材を有し、
前記スリーブは、さらに、前記ドリルを位置決めするドリル穴と、該ドリル穴とスリーブの外周面とを連通させると共に、該ドリルを固定するために、前記止めネジを挿入する固定穴とを有することを特徴とする請求項２に記載の可変式穴開け装置、を提供する。
【００１２】
本願の請求項４の考案は、前記工具部材は夫々、前記調整ロッドの両側に取り付けられる２つのカッターを有することを特徴とする請求項３に記載の可変式穴開け装置、を提供する。
【００１３】
本願の請求項５の考案は、前記駆動シャフトは、さらに、前記シャンクの末端近傍に形成される螺設部を有し、
前記可変式穴開け装置は、さらに、前記駆動シャフトに環装されるカバーと、該駆動シャフトに環装されると共に、一端が前記カバーの底部に結合されるスプリングと、前記シャンクの螺設部に螺合されると共に、該スプリングに当接するナットとを備える防塵部材を有することを特徴とする請求項４に記載の可変式穴開け装置、を提供する。
【００１４】
本願の請求項６の考案は、前記可変式穴開け装置は、さらに、ホールソー刃部材を有し、
前記スリーブは、さらに、前記ドリル穴の周縁に形成されると共に、前記ホールソー刃部材を位置決めする嵌合部を有し、
前記センタードリル部材は、さらに、前記ホールソー刃部材を固定するワッシャーを有することを特徴とする請求項４に記載の可変式穴開け装置、を提供する。
【００１５】
本願の請求項７の考案は、前記可変式穴開け装置は、さらに、前記駆動シャフトに環装されると共に、前記カッター部材の底部に嵌合される位置決めディスクと、該駆動シャフトの取付部に螺合されると共に、該位置決めディスクを固定する固定ディスクとを有し、
前記工具部材は、前記調整ロッドの一側に取り付けられる１つのカッターを有することを特徴とする請求項３に記載の可変式穴開け装置、を提供する。
【００１６】
本願の請求項８の考案は、前記伝動部材は、外周面に等間隔で形成されると共に、それぞれ３つの挟持用爪に適合する３つの挟持平面を有することを特徴とする請求項１ないし請求項７の何れか一項に記載の可変式穴開け装置、を提供する。
【００１７】
本願の請求項９の考案は、前記工具部材は、ホールソー刃部材からなることを特徴とする請求項１に記載の可変式穴開け装置、を提供する。
【００１８】
本願の請求項１０の考案は、前記駆動シャフトの取付部は、段差を形成する、大径ネジ山部および小径ネジ山部を有することを特徴とする請求項９に記載の可変式穴開け装置、を提供する。
【００１９】
本願の請求項１１の考案は、前記可変式穴開け装置は、さらに、ドリルと、止めネジとを備えるセンタードリル部材を有し、
前記駆動シャフトは、さらに、前記取付部の先端に形成されると共に、前記ドリルを位置決めするドリル穴と、該ドリル穴と前記シャンクの外周面における取付部の近傍に位置する箇所とを連通すると共に、該ドリルを固定するために、前記止めネジを挿入する固定穴とを有することを特徴とする請求項１０に記載の可変式穴開け装置、を提供する。
【００２０】
本願の請求項１２の考案は、前記伝動部材は、角棒状を呈すると共に、外周面における末端近傍に嵌合溝が凹設されることを特徴とする請求項１１に記載の可変式穴開け装置、を提供する。
【００２１】
本願の請求項１３の考案は、前記可変式穴開け装置は、さらに、前記駆動シャフトの取付部に螺合されると共に、前記工具部材の外側に当接する当接リングと、該駆動シャフトの取付部に螺合されると共に、該工具部材の内側に当接する固定スクリューとを有することを特徴とする請求項１１に記載の可変式穴開け装置、を提供する。
【００２２】
本願の請求項１４の考案は、前記伝動部材は、直接固定式駆動機器に適合する形状を呈し、外周面に等間隔に形成される２つの閉止溝と、外周面に等間隔に形成される２つの開放溝とを有することを特徴とする請求項１３に記載の可変式穴開け装置、を提供する。
【００２３】
本願の請求項１５の考案は、前記駆動シャフトは、さらに、前記取付部の末端近傍に形成される環装部と、該環装部の末端近傍に形成される螺合部とを有し、
前記可変式穴開け装置は、さらに、摺動可能に前記環装部に設けられると共に、前記工具部材の外側に当接される当接リングと、前記駆動シャフトの螺合部の末端に固設される固設部材と、該駆動シャフトの螺合部に螺合される当接ナットと、該当接ナットと当接リングとの間に設けられる弾性リングとを有することを特徴とする請求項１１に記載の可変式穴開け装置、を提供する。
【００２４】
本願の請求項１６の考案は、前記可変式穴開け装置は、さらに、前記駆動シャフトと工具部材との間に設けられると共に、先端から末端へ順次に当接リング、弾性リング、当接ナット、及び固設部材が設けられる連結軸を有することを特徴とする請求項１０に記載の可変式穴開け装置、を提供する。
【００２５】
本願の請求項１７の考案は、前記可変式穴開け装置は、さらに、前記連結軸に取り付けられるセンタードリル部材を有することを特徴とする請求項１６に記載の可変式穴開け装置、を提供する。
【００２６】
本願の請求項１８の考案は、前記伝動部材は、該駆動シャフトの駆動部に螺合されるために、外周面に外ネジ山が形成される結合部を有し、
前記伝動部材の結合部は、中空状を呈し、内部に螺合穴が設けられ、
前記螺合穴の内周面に、前記結合部の外周面の外ネジ山と反対方向の内ネジ山が形成され、
前記駆動シャフトは、筒状を呈し、前記螺合穴の内周面の内ネジ山に対応する結締部材と、前記結締部材を位置決めするために前記駆動シャフトの内周面における末端近傍に設けられる環状制限部材と、内周面における前記環状制限部材と末端との間に設けられる、前記結合部を螺入させるための内ネジ山と、を有することを特徴とする請求項３に記載の可変式穴開け装置、を提供する。
【００２７】
本願の請求項１９の考案は、前記工具部材は、さらに、前記固定穴と直交する緊締溝を有することを特徴とする請求項１８に記載の可変式穴開け装置、を提供する。
【００２８】
本願の請求項２０の考案は、前記駆動シャフトの結締部材は、キャップボルトであることを特徴とする請求項１８に記載の可変式穴開け装置、を提供する。
【考案の効果】
【００２９】
本考案は上記の課題を解決するものであり、少なくとも以下の効果を有する。
【００３０】
１、構成を簡素化すると共に、１つの取付部に異なる工具を取り付けられるようにしたことから、駆動シャフトの運用上の利便性をより高めると共に、着脱作業が容易に行えるようになった。
【００３１】
２、本考案の駆動シャフトの伝動部材は、着脱可能に駆動シャフトに装着されるものであるので、異なる駆動機器、例えば直接固定式駆動機器や、３つの挟持用爪を用いる駆動機器などの多様な駆動機器に適用できることから、互換性に優れている。
【００３２】
３、本考案の駆動シャフトは、穴開け作業を行う時、詰まり防止装置と工具部材とを併用して工具の不要な回転を阻止し、工具を後退させるとともに、工作材から離脱させることにより、高速回転する工具の工作材による詰まりを防止することができる。
【図面の簡単な説明】
【００３３】
【図１】本考案に係る可変式穴開け装置の第一実施例の分解斜視図である。
【図２】本考案に係る可変式穴開け装置の第一実施例の使用状態を示す断面図である。
【図３】本考案に係る可変式穴開け装置の第一実施例の他の使用状態を示す断面図である。
【図４】本考案に係る可変式穴開け装置の第二実施例の斜視図である。
【図５】本考案に係る可変式穴開け装置の第二実施例の分解斜視図である。
【図６】本考案に係る可変式穴開け装置の第三実施例の分解斜視図である。
【図７】本考案に係る可変式穴開け装置の第三実施例の断面図である。
【図８】本考案に係る可変式穴開け装置の第四実施例の斜視図である。
【図９】本考案に係る可変式穴開け装置の第五実施例の斜視図である。
【図１０】本考案に係る可変式穴開け装置の第五実施例の使用状態を示す断面図である。
【図１１】本考案に係る可変式穴開け装置の第六実施例の斜視図である。
【図１２】本考案に係る可変式穴開け装置の第六実施例の分解斜視図である。
【考案を実施するための形態】
【００３４】
図１及び図２に示すように、本考案に係る可変式穴開け装置の第一実施例は、駆動シャフト１０と、センタードリル部材２０と、工具部材３０と、伝動部材４０とを有する。
【００３５】
図１に示すように、前記駆動シャフト１０は、先端と末端とを有するシャンク１１と、該シャンク１１の先端に設けられる取付部１２と、ドリル穴１３と、固定穴１４と、該シャンク１１の末端に設けられる駆動部１５とを備え、該シャンク１１の末端近傍に螺設部１１１が形成され、該螺設部１１１の外周面にネジ山が形成される。
【００３６】
前記取付部１２は、異なる口径の工具を保持するために、段差を備える大径ネジ山部および小径ネジ山部を有し、前記ドリル穴１３は、前記取付部１２の先端に形成され、前記固定穴１４は、該ドリル穴１３とシャンク１１の外周面における前記取付部１２の近傍に位置する箇所とを連通させるためのものであり、前記駆動部１５は、該シャンク１１の末端に設けられると共に、伝動部材４０を保持するためのネジ山を有する。
【００３７】
前記センタードリル部材２０は、前記駆動シャフト１０に結合されると共に、工作材にセンターガイド穴を作ることができ、ドリル２１と、止めネジ２２とを備える。
【００３８】
前記工具部材３０は、スリーブ３１と、該スリーブ３１の外周面に設けられる調整ロッド３２と、該調整ロッド３２の両側に取り付けられる２つのカッター３３とを具備する調整可能なカッター部材からなり、該スリーブ３１の底部に、内周面にネジが設けられる取付穴３１０が形成され、該取付穴３１０によりスリーブ３１が駆動シャフト１０の取付部１２に螺合される。
【００３９】
前記スリーブ３１の径方向に、前記調整ロッド３２を固定するための貫通穴を有し、前記２つのカッター３３はそれぞれ、刃部と、該調整ロッド３２の両側に取り付けられるベースとを有する。
【００４０】
前記スリーブ３１は、さらに、前記ドリル２１を位置決めするドリル穴３１１と、該ドリル穴３１１とスリーブ３１の外周面とを連通させると共に、該ドリル２１を固定するように、前記止めネジ２２を螺入させるる固定穴３１２とを有し、該ドリル穴３１の周縁に、異なる工具に適合させるための嵌合部３１３が形成される。
【００４１】
前記伝動部材４０は、前記駆動シャフト１０のシャンク１１の末端に着脱可能に螺合され、その外周面に等間隔で３つの挟持平面４１が形成されると共に、先端に、該駆動シャフト１０の駆動部１５に螺合されるために、外周面に外ネジ山が形成される結合部４２が設けられる。
【００４２】
前記伝動部材４０の３つの挟持平面４１はそれぞれ、３つの挟持用爪に対応するので、３つの挟持用爪を用いる駆動機器に適用することができる。また、前記伝動部材４０の結合部４２の近傍には、前記伝動部材４０が駆動機器に詰まることを防止できるストッパー４３が設けられる。
【００４３】
図２に示すように、本実施例の可変式穴開け装置はさらに、カバー５１と、スプリング５２と、ナット５３とを備える防塵部材５０を有し、その内、カバー５１は、前記駆動シャフト１０に環装され、該スプリング５２は、一端が前記カバー５１の底部に当接するように前記駆動シャフト１０に環装され、該ナット５３は、スプリング５２に当接するように前記シャンク１１の螺設部１１１に螺合される。尚、前記工具部材３０の調整ロッド３２、２つのカッター３３及び前記防塵部材５０は、周知のものであるので、詳しい使用方法及び組み合わせについての説明は省略する。
【００４４】
図３に示すように、また、本実施例の可変式穴開け装置は、前記スリーブ３１の嵌合部３１３にホールソー刃部材６０が設けられると共に、ドリル２１にワッシャー２３が環装され、該ワッシャー２３によりホールソー刃部材６０を確実に固定するので、該固定されたホールソー刃部材６０により穴開けを行うことができる。
【００４５】
図４及び図５に示すように、本考案に係る可変式穴開け装置の第二実施例は、前記第一実施例と略同様のものであるが、以下の点で異なる。
【００４６】
本考案に係る可変式穴開け装置の第二実施例の工具部材３０Ａは、ホールソー刃部材からなり、その底部に取付穴３４が形成されると共に、該取付穴３４の内周面に、駆動シャフト１０の取付部１２の外周面の大径ネジ山部または小径ネジ山部に対応するネジ山が形成される。
【００４７】
また、本考案に係る可変式穴開け装置の第二実施例のドリル２１は、駆動シャフト１０のドリル穴１３に挿嵌され、この時、本考案に係る可変式穴開け装置の第二実施例の止めネジ２２が固定穴１４に螺入され、該ドリル２１を押さえ付けることにより、前記ドリル２１をドリル穴１３に固定する。
【００４８】
本考案に係る可変式穴開け装置の第二実施例の伝動部材４０Ａは、六角棒状を呈すると共に、外周面の末端近傍に、伝動部材４０Ａと駆動機器とを結合させるための嵌合溝４４が凹設される。
【００４９】
図６及び図７に示すように、本考案に係る可変式穴開け装置の第三実施例は、前記第二実施例と略同様のものであるが、以下の点で異なる。
【００５０】
本考案に係る可変式穴開け装置の第三実施例の工具部材３０Ｂは、ホールソー刃部材からなり、その底部に取付穴３４Ｂが貫穿されると共に、該底部における取付穴３４の近傍に、前記取付穴３４を挟む２つの貫通穴３５が形成される。
【００５１】
更に、本実施例の可変式穴開け装置は、当接リング７１と、固定スクリュー７２とを有し、該当接リング７１は、前記工具部材３０Ｂの外側に当接するように固定され、駆動シャフト１０の取付部１２に螺合するための内ネジ山と、前記２つの貫通穴３５にそれぞれ挿入される２つの位置決め柱７１１とを有する。
【００５２】
一方、伝動部材４０Ｂは、直接固定式駆動機器に対応する形状を呈し、外周面に等間隔で形成される２つの閉止溝４５と、外周面に等間隔で形成される２つの開放溝４６とを有するので、直接固定式駆動機器に適用することができる。また、この伝動部材４０Ｂの結合部４２は、中空状を呈し、内部に螺合穴４７が設けられる。なお、前記螺合穴４７の内周面に、前記結合部４２の外周面の外ネジ山と反対方向の内ネジ山が形成される。
【００５３】
また、本実施例において、駆動シャフト１０Ｂは、筒状を呈し、前記螺合穴４７の内周面の反対方向の内ネジ山に対応する結締部材としてのキャップボルト１６と、前記キャップボルト１６を位置決めするために前記駆動シャフト１０Ｂの内周面における末端近傍に設けられる環状制限部材１８と、内周面における前記環状制限部材１８と末端との間に設けられる、前記結合部４２を螺入させるための内ネジ山１７と、を有する。前記キャップボルト１６は、前記螺合穴４７の内周面に形成される反対方向の内ネジ山に対応するネジ山１６１と、一端に形成される頭部１６２と、頭部１６２の上面に設けられる、該キャップボルト１６を回転させるための六角穴１６３とを有する。
【００５４】
本考案に係る可変式穴開け装置を長時間に使用する場合、該可変式穴開け装置が駆動機器で常時同方向回転され続けることにより、駆動シャフト１０Ｂにおける螺合手段により結合される例えば駆動シャフト１０Ｂの末端と前記結合部４２とからなる構成が緩み、再度緊締しなくては継続的使用することができない問題を、前記キャップボルト１６と前記反対方向の内ネジ山を有する螺合穴４７との反対方向の螺合構成により解決することができるので、長時間使用しても駆動シャフト１０Ｂと結合部４２とが確実にその構成を維持することができる。
【００５５】
図８に示すように、本考案に係る可変式穴開け装置の第四実施例は、前記第三実施例と略同様のものであるが、以下の点で異なる。
【００５６】
本考案に係る可変式穴開け装置の第四実施例の駆動シャフト１０Ｃは、シャンク１１に形成される環装部１１２及び螺合部１１３を有し、その内、環装部１１２は、取付部１２の末端近傍に形成され、該螺合部１１３は、前記環装部１１２の末端近傍に形成され、また、該環装部１１２に、対向する２つの平面が形成されると共に、該螺合部１１３の外周面にネジ山が形成される。
【００５７】
本実施例の可変式穴開け装置は、固設部材７３と、当接ナット７４と、弾性リング７５とを有し、その内、固設部材７３は、Ｃ字形を呈すると共に、駆動シャフト１０の螺合部１１３の末端に固設されるリング固設部材であり、該当接ナット７４は、該駆動シャフト１０の螺合部１１３に螺合され、該弾性リング７５は、当接ナット７４に当接される。
【００５８】
更に、前記当接リング７１は、前記弾性リング７５に当接するように、摺動可能に前記環装部１１２に設置される。
【００５９】
本実施例の可変式穴開け装置の工具部材３０Ｃは、前記本考案に係る可変式穴開け装置の第三実施例の工具部材３０Ｂと略同様の構成を有するが、取付穴３４Ｃが螺入穴である点で異なる。また、前記工具部材３０Ｃは、前記取付穴３４Ｃにより駆動シャフト１０Ｃの取付部１２に結合されると共に、該工具部材３０Ｃの２つの貫通穴３５Ｃは前記当接リング７１の２つの位置決め柱７１１に嵌め込まれ、前記当接ナット７４は先端側に螺入され、該当接ナット７４で当接リング７１を圧迫することにより、駆動シャフト１０Ｃに結合される工具部材３０Ｃに対して詰まり防止の効果を発揮する。
【００６０】
本実施例において、前記工具部材３０Ｃを取り外す時は、先ず、前記当接ナット７４を緩め、前記２つの位置決め柱７１１を前記２つの貫通穴３５Ｃから離脱させて当接リング７１を後退させる。これにより、前記工具部材３０Ｃと駆動シャフト１０Ｃとの間に、工具部材３０Ｃを取り外すための隙間ができるので、工具部材３０Ｃの詰まりを防止し、工具部材３０Ｃをスムーズに取り外すことができる。
【００６１】
図９及び図１０に示すように、本考案に係る可変式穴開け装置の第五実施例は、前記第四実施例と略同様のものであるが、以下の点で異なる。
【００６２】
本考案に係る可変式穴開け装置の第五実施例では、伝動部材４０Ｂと該伝動部材４０Ｂにおける反対方向の内ネジ山を有する結合部４２と結合される駆動シャフト１０Ｂが用いられ、駆動シャフト１０Ｂと工具部材３０Ｃとの間にさらに連結軸７６が設けられ、該連結軸７６の末端に、内周面に該駆動シャフト１０Ｂの取付部１２と対応するネジ山が形成される取付穴７６１が形成されると共に、該連結軸７６の先端に、外周面にネジ山が形成される工具連結部７６２が設けられ、該工具連結部７６２の先端にドリル穴７６３が形成され、更に、該工具連結部７６２の先端近傍の対向する両側にそれぞれ、平面状の環装部７６４が形成されそのうちの１つの平面に、該平面と前記ドリル穴７６３とを連通する固定穴７６５が設けられる。また、前記連結軸７６における、環装部７６４の末端近傍に、外周面にネジ山が形成される螺合部７６６が設けられる。
【００６３】
前記連結軸７６には、当接リング７１と、固設部材７３と、当接ナット７４と、弾性リング７５とを有し、該固設部材７３は、前記螺合部７６６の末端に固設され、該当接ナット７４は、該螺合部７６６に螺合され、該弾性リング７５は、該当接ナット７４と当接リング７１との間に設置され、該当接リング７１は、摺動可能に前記環装部７６４に設置され、前記工具部材３０Ｃは、該当接リング７１の２つの位置決め柱７１１が前記２つの貫通穴３５Ｃに挿入されるように、前記取付穴３４Ｃによって前記連結軸７６の工具連結部７６２に環装され、更に、該当接ナット７４が      の先端側に螺合され、当接リング７１が該当接ナット７４で圧迫されることにより、該連結軸７６に結合される工具部材３０Ｃに対して、詰まり防止の効果を発揮する。
【００６４】
また、本考案に係る可変式穴開け装置における第五実施例においては、センタードリル部材２０のドリル２１が前記連結軸７６のドリル穴７６３に、止めネジ２２が固定穴７６５に設置される。
【００６５】
なお、本実施例の使用方法は、前記本考案に係る可変式穴開け装置の第四実施例と類似するものであるので、その説明は省略する。
【００６６】
図１１及び図１２に示すように、本考案に係る可変式穴開け装置の第六実施例は、前記第一実施例と略同様のものであるが、以下の点で異なる。
【００６７】
本考案に係る可変式穴開け装置の第六実施例の工具部材３０Ｄは、シングルカッター式カッター部材からなるものであり、スリーブ３１Ｄと、調整ロッド３２Ｄと、カッター３３Ｄとを具備し、該スリーブ３１Ｄの底部に螺設部３１４が形成される。尚、前記スリーブ３１Ｄ、調整ロッド３２Ｄ、及びカッター３３Ｄによる構成は第一実施例と類似したものであるが、以下の点で異なる。
【００６８】
本考案に係る可変式穴開け装置の第六実施例のセンタードリル部材２０は、該スリーブ３１Ｄと一体化に設けられるドリル２１Ｄと、該スリーブ３１Ｄの固定穴３１２Ｄに螺入される調整ネジ２２Ｄとを有する。
【００６９】
本実施例において、該工具部材３０Ｄのスリーブ３１Ｄにおける固定穴３１２Ｄは、開口部に段差が形成されるものである。また、該工具部材３０Ｄのスリーブ３１Ｄは、さらに、前記スリーブ３１Ｄの固定穴３１２Ｄと直交する、調整ロッド３２Ｄを確実に保持するための緊締溝３１５を有する。なお、固定穴３１２Ｄに螺入される調整ネジ２２Ｄの頭部が前記段差が形成される固定穴３１２Ｄの開口部に阻止されるので、調整ネジ２２Ｄを固定穴３１２Ｄに深く螺入することにより、緊締溝３１５の幅を縮小させることができる。
長時間に本考案に係る可変式穴開け装置使用すれば、スリーブ３１Ｄと調整ロッド３２Ｄとの間に、隙間ができてしまう可能性があったが、調整ネジ２２Ｄをさらに固定穴３１２に螺入することにより、該緊締溝３１５の幅を縮小させ、調整ロッド３２Ｄを前記隙間を無くすように、調整ロッド３２Ｄを確実に保持することができる。
【００７０】
本実施例においてはさらに、位置決めディスク８１と、固定ディスク８２とを有し、該位置決めディスク８１は、前記スリーブ３１Ｄに環装され、且つ前記調整ロッド３２Ｄの底部に嵌合され、該固定ディスク８２は、該位置決めディスク８１に当接するように、該スリーブ３１Ｄの螺設部３１４に螺合され、前記工具部材３Ｄをより強固に固定する。
【００７１】
本実施例において、前記固定ディスク８２は、Ｃ字形を呈し、相対する２つの内表面を有するスリット８２１と、該スリット８２１の一つの内表面の中央部と該固定ディスク８２の外周面とを連通させる螺入穴８２２と、該螺入穴８２２に対応するように、該スリット８２１の他の内表面の中央部と該固定ディスク８２の外周面とを連通させる緊締穴８２３と、前記緊締穴８２３に挿入され、前記スリット８２１を通過し、前記螺入穴８２２に螺入される緊締ボルト８２４とを有する。
【００７２】
本考案に係る可変式穴開け装置を長時間に使用する場合、該可変式穴開け装置が駆動機器で常時同方向回転されているので、駆動シャフト１０Ｂにおける螺合手段により結合される例えば駆動シャフト１０と前記固定ディスク８２とからなる構成が緩むことを防ぐため、前記緊締ボルト８２４を前記緊締穴８２３に挿入し、前記スリット８２１を通過させて前記螺入穴８２２に螺入させることにより、前記固定ディスク８２をより確実に駆動シャフト１０に取り付けるように緊締することができる。
【産業上の利用可能性】
【００７３】
本考案は上記の構成を有するので、各実施例で例示したように、駆動シャフトの末端の伝動部材により、駆動機器を利用して工具部材を回転させ、穴開け作業を行うことができる。また、伝動部材を工具部材に設置すれば、多様な使用方法を提供できるので、実用性及び利便性が極めて高い。
【符号の説明】
【００７４】
１０、１０Ｂ、１０Ｃ  駆動シャフト
１１                  シャンク
１１２                環装部
１１３                螺合部
１２                  取付部
１３                  ドリル穴
１４                  固定穴
１５                  駆動部
１６                  キャップボルト
１６１                ネジ山
１６２                頭部
１６３                六角穴
１７                  内ネジ山
１８                  位置決め部材
２０                  センタードリル部材
２１、２１Ｄ          ドリル
２２                  止めネジ
２２Ｄ                調整ネジ
２３                  ワッシャー
３０、３０Ａ〜３０Ｄ  工具部材
３１、３１Ｄ          スリーブ
３１０                取付穴
３１１                ドリル穴
３１２、３１２Ｄ      固定穴
３１３                嵌合部
３１４                螺設部
３１５                緊締溝
３２、３２Ｄ          調整ロッド
３３、３３Ｄ          カッター
３４、３４Ｂ、３４Ｃ  取付穴
３５                  貫通穴
４０、４０Ａ、４０Ｂ  伝動部材
４１                  挟持平面
４２                  結合部
４３                  ストッパー
４４                  嵌合溝
４５                  閉止溝
４６                  開放溝
４７                  螺合穴
５０                  防塵部材
５１                  カバー
５２                  スプリング
５３                  ナット
６０                  ホールソー刃部材
７１                  当接リング
７２                  固定スクリュー
７３                  固設部材
７４                  当接ナット
７５                  弾性リング
７６                  連結軸
７６１                取付穴
７６２                工具連結部
７６３                ドリル穴
７６４                環装部
７６５                固定穴
７６６                螺合部
８１                  位置決めディスク
８２                  固定ディスク
８２１                スリット
８２２                螺入穴
８２３                緊締穴
８２４                緊締ボルト
【図１】
0003182895.tif 000003
【図２】
0003182895.tif 000004
【図３】
0003182895.tif 000005
【図４】
0003182895.tif 000006
【図５】
0003182895.tif 000007
【図６】
0003182895.tif 000008
【図７】
0003182895.tif 000009
【図８】
0003182895.tif 000010
【図９】
0003182895.tif 000011
【図１０】
0003182895.tif 000012
【図１１】
0003182895.tif 000013
【図１２】
0003182895.tif 000014